(57)【要約】  印刷機内でウェブを回転させるおよび／または横方向に移動させるための装置が提供される。装置は、ウェブを案内する第１ローラであって、第１の回転軸を有する第１ローラと、ウェブを案内する第２ローラであって、第２の回転軸を有する第２ローラと、ウェブを案内する第３ローラであって、第３の回転軸を有する第３ローラと、ウェブを案内する第４ローラであって、第４の回転軸を有する第４ローラと、を有する。第１乃至第４ローラは、上述の順にローラ周りにウェブを案内することを可能にするよう配置され、第１および第２ローラは、これらのローラ間に延びるストランドにおいてウェブに９０度のねじりを行うことを可能にする距離間隔をあけられ、第３および第４ローラは、これらのローラの間に延びるストランドにおいてウェブに９０度のねじりを行うことを可能にする距離間隔をあけられる。第１および第４の回転軸は互いに略平行であり、第２および第３の回転軸は互いに略平行であり、第１および第４の回転軸は第２および第３の回転軸に対して略直角である。このようなウェブを回転させるおよび／または横方向に移動させるための装置は、ウェブに印刷するための印刷機に設けることができる。
2012519120.tif 000002
【特許請求の範囲】
【請求項１】
印刷機内でウェブを１８０度回転させる装置であって：
−前記ウェブを案内する第１ローラであって、第１の回転軸を有する第１ローラと；
−前記ウェブを案内する第２ローラであって、第２の回転軸を有する第２ローラと；
−前記ウェブを案内する第３ローラであって、第３の回転軸を有する第３ローラと；
−前記ウェブを案内する第４ローラであって、第４の回転軸を有する第４ローラと、を有し；
前記第１乃至前記第４ローラは、上述の順に前記ローラの周りに前記ウェブを案内することを可能にするよう配置され、前記第１および前記第２ローラは、これらのローラの間に延びるストランドにおいて前記ウェブが９０度のねじりを行うことを可能にする距離だけ間隔をあけられ、前記第３および前記第４ローラは、これらのローラの間に延びるストランドにおいて前記ウェブが９０度のねじりを行うことを可能にする距離だけ間隔をあけられ、
前記第１および前記第４の回転軸は互いに略平行であり、前記第２および前記第３の回転軸は互いに略平行であり、
前記第１および前記第４の回転軸は前記第２および前記第３の回転軸に対して略直角である、
装置。
【請求項２】
前記ウェブが前記印刷機内においてさらに横方向に移動させられる、
請求項１に記載の装置。
【請求項３】
前記第１および前記第２ローラは、一方の前記ローラの回転軸に直角に伸びるとともに前記ローラのウェブ案内面をそれぞれ２等分する平面が他方の前記ローラを通って延びるように配置される、
請求項１または２に記載の装置。
【請求項４】
前記第１および前記第２ローラは、前記一方のローラの回転軸に直角に伸びるとともに前記ローラの前記ウェブ案内面をそれぞれ２等分する前記平面が前記他方のローラの回転軸を通って延びるように配置される、
請求項３に記載の装置。
【請求項５】
前記第３および前記第４ローラは、一方の前記ローラの回転軸に直角に伸びるとともに前記ローラのウェブ案内面をそれぞれ２等分する平面が他方の前記ローラを通って延びるように配置される、
請求項１乃至４のいずれか１項に記載の装置。
【請求項６】
前記第３および前記第４ローラは、前記一方のローラの回転軸に直角に伸びるとともに前記ローラの前記ウェブ案内面をそれぞれ２等分する前記平面が前記他方のローラの回転軸を通って延びるように配置される、
請求項５に記載の装置。
【請求項７】
前記第２および前記第３ローラは、一方の前記ローラの回転軸に直角に伸びるとともに前記ローラのウェブ案内面をそれぞれ２等分する平面が他方の前記ローラのそれぞれの平面と略同一平面になるように配置される、
請求項１乃至６のいずれか１項に記載の装置。
【請求項８】
前記第２および前記第３ローラは横移動方向に離間される、
請求項１乃至７のいずれか１項に記載の装置。
【請求項９】
前記第２および前記第３ローラは、横移動方向および第２の方向に離間される、
請求項１乃至８のいずれか１項に記載の装置。
【請求項１０】
前記第１および前記第４ローラは略水平に配置されるとともに前記第２および前記第３ローラは略垂直に配置される、
請求項１乃至９のいずれか１項に記載の装置。
【請求項１１】
前記第２および前記第３ローラはクラウンローラである、
請求項１乃至１０のいずれか１項に記載の装置。
【請求項１２】
前記第１または前記第４ローラ上の前記ウェブの位置を検出するためのウェブ位置センサをさらに有する、
請求項１乃至１１のいずれか１項に記載の装置。
【請求項１３】
前記第２および前記第３ローラの少なくとも１つを、前記第１または前記第４ローラの回転軸の方向に、前記ウェブ位置センサの出力に応答して、移動させる装置をさらに有する、
請求項１２に記載の装置。
【請求項１４】
ウェブに印刷するための印刷機であって：
前記印刷機を通る前記ウェブを案内するための複数のローラであって、前記複数のローラが前記ウェブに対する片面経路および両面経路を規定するように配置され、前記両面経路は前記片面経路に対して隣接するとともに横方向に移動して配置される、複数のローラと；
前記片面経路および前記両面経路に沿って前記ウェブが動かされる間に前記ウェブに画像を印刷するために配置される少なくとも１つの印刷装置と；
前記ウェブを前記片面経路から前記両面経路へ移すようにされた、前記ウェブを回転させるおよび／または横方向に移動させる装置と；を有する、
印刷機。
【請求項１５】
前記少なくとも１つの印刷装置は、少なくとも１つのインクジェット印刷ヘッドを有する、
請求項１４に記載の印刷機。
【請求項１６】
前記少なくとも１つの印刷装置は、前記片面経路および前記両面経路で前記ウェブに印刷するための独立したインクジェット印刷ヘッドを有する、
請求項１５に記載の印刷機。
【請求項１７】
少なくとも４つの印刷装置が設けられる、
請求項１４乃至１６のいずれか１項に記載の印刷機。
【請求項１８】
前記ウェブを回転させるおよび／または横方向に移動させる装置は、前記印刷装置の下に配置される、
請求項１４乃至１７のいずれか１項に記載の印刷機。
【請求項１９】
印刷機においてウェブを回転させるおよび／または横方向に移動させる方法であって、
−前記ウェブを第１ローラの周りに案内するステップと；
−前記ウェブを第２ローラの周りに案内するステップであって、前記第２ローラは前記第１ローラに対して約９０度回転され、前記第１および前記第２ローラ間に延びる前記ウェブのストランドが約９０度の第１のねじりを行う、ステップと；
−前記ウェブを前記第１ローラとほぼ平行に配置される第３ローラの周りに案内するステップであって、前記第２および前記第３ローラ間に延びる前記ウェブのストランドが直線状になる、ステップと；
−前記ウェブを第４ローラの周りに案内するステップであって、前記第４ローラが前記第３ローラに対して約９０度回転され、前記第３および前記第４ローラ間に延びる前記ウェブのストランドが約９０度の第２のねじりを行う、ステップと；を有する、
方法。
【請求項２０】
前記第１のねじりは、前記第１ローラに接触する前記ウェブの面が前記第２ローラにも接触するように、構成される、
請求項１９に記載の方法。
【請求項２１】
前記第１のねじりおよび前記第２のねじりは、前記ウェブが前記第２のねじりの後に１８０度のねじりを行うように、同じ方向に方向付けられる、
請求項１９または２０に記載の方法。
【請求項２２】
前記第１のねじりおよび前記第２のねじりは、前記第２のねじりの後に前記ウェブが最初の向きを保つように、反対向きに方向付けられる、
請求項１９または２０に記載の方法。
【発明の詳細な説明】
【技術分野】
【０００１】
本発明は、印刷機内でウェブ（巻取紙、ｗｅｂ）を回転させるおよび／または横方向に移動させるための方法および装置に関する。
【背景技術】
【０００２】
印刷工業では、一方向印刷エンジンを通って運ばれる間に連続ウェブに印刷することが知られている。このような一方向のまたは印刷エンジンは、例えば、インクやトナーなどの印刷メジュームを、連続ウェブの一面、一般的に上面に供給し、その間にウェブは一方向印刷エンジンに沿って運ばれる。このような印刷エンジンは、単色印刷用の単一の印刷ヘッドまたは多色印刷用の複数の印刷ヘッドを有し得る。多色印刷のために、シアン、マゼンタ、イエロー、およびカーボン（黒）の色を用いる一般的に少なくとも４つの印刷ヘッドが設けられる。
【０００３】
このような一方向印刷エンジンによる連続ウェブへの両面印刷が望まれる場合、一方向印刷エンジンを通るウェブの２度目の通過を可能にするために、ウェブを１８０度回転または反転させることが必要であり、このような状態では、ウェブの以前に印刷されていなかった面が印刷エンジンのそれぞれの印刷ヘッドを向く。
【０００４】
この回転機能を実行するために、いわゆる「ターンバー装置」を利用することが知られており、これは一般に複数の固定されたターンバーで構成され、回転機能を提供するために紙の移動経路に対して曲げられる。ターンバーは一般に固定されるので、ターンバーおよび／またはウェブの振動を避けるために、ウェブとターンバーとの間の接触は好ましくは最小に減らされるべきである。したがって、このようなターンバーは一般に、ターンバーの周りを移動している間にターンバーとウェブとの間にエアクッションを作り出すために、空気がターンバーを通って吹きつけられることを可能にする貫通孔を備える。
【０００５】
このような装置がウェブの回転および横方向の移動の両方を可能にするという事実にもかかわらず、このようなシステムはかなり高価でありターンバーを通じた空気の吹き出しによる大きな騒音をもたらす。さらに、ターンバーとウェブとの間のエアクッションは必ずしも安定しておらず、印刷エンジンを通ってウェブを適切に案内することに関して問題を引き起こす。
【０００６】
連続ウェブ用の別の回転装置は例えば非特許文献１から知られる。この回転装置では、連続ウェブは、第１の面に印刷された後に、第１のローラ、第１のローラに対して９０度の角度に向けられた第２ローラ、および第２のローラに９０度の角度で配置された、すなわち第１のローラと平行な第３のローラの周りを案内される。ウェブは、第１、２ローラと第２、３ローラとの間でウェブが９０度のねじりを行うように、これらのローラの周りを案内される。第２ローラは、ウェブの回転および横方向の移動が達成されるように、第１および第２ローラ間の略中間に配置される。しかし、第２ローラが第２および第３ローラ間の転換させる線に向けてウェブを移動させる傾向をもたらすので、この配置はウェブを適切に案内することに関して問題を引き起こす。
【先行技術文献】
【非特許文献】
【０００７】
【非特許文献１】ＩＢＭ  Ｔｅｃｈｎｉｃａｌ  Ｄｉｓｃｌｏｓｕｒｅ  Ｂｕｌｌｅｔｉｎ、  Ｖｏｌ．  ２２、  Ｎｏ．  ６、  Ｎｏｖｅｍｂｅｒ  １９、  １９７９  ｐａｇｅ  ２４６５
【発明の概要】
【発明が解決しようとする課題】
【０００８】
上述のことを考慮して、本発明は、上述の一つあるいは複数の問題を克服することができる、印刷機内でウェブを回転させるおよび／または横方向に移動させるための代替の方法および装置を提供することを目的とする。
【課題を解決するための手段】
【０００９】
この目的は、本発明に従って、請求項１および１８にそれぞれ記載された、印刷機内でウェブを回転させるおよび／または横方向に移動させるための装置および方法により達成される。本発明の更なる実施形態は従属請求項に記載される。
【００１０】
特に、装置は、ウェブを案内する第１ローラであって、第１の回転軸を有する第１ローラと、ウェブを案内する第２ローラであって、第２の回転軸を有する第２ローラと、ウェブを案内する第３ローラであって、第３の回転軸を有する第３ローラと、ウェブを案内する第４ローラであって、第４の回転軸を有する第４ローラと、を有する。第１乃至第４ローラは、上述の順に前記ローラ周りにウェブを案内することを可能にするよう配置され、前記第１および第２ローラはある距離だけ間隔をあけられ、この距離はこれらのローラの間に延びるストランド（ｓｔｒａｎｄ）においてウェブが９０度のねじりを行うことを可能にする。第３および第４ローラもある距離だけ間隔をあけられ、この距離はこれらのローラの間に延びるストランドにおいてウェブが９０度のねじりを行うことを可能にする。第１および第４の回転軸は互いに略平行であり、第２および第３の回転軸は互いに略平行であり、第１および第４の回転軸は第２および第３の回転軸に対して略直角である。この配置は、ウェブが第１および第２ローラ間で９０度ねじられ、第２および第３ローラ間で横方向に移動させられ、第３および第４ローラ間でさらに９０度再びねじられることを可能にする。したがって、横方向の移動がウェブの回転から切り離され、本装置を通じたウェブの案内を向上させる。
【００１１】
本発明の一つの実施形態によれば、第１および第２ローラは、一方のローラの回転軸に直角に伸びるとともに前記ローラのウェブ案内面をそれぞれ２等分する平面が、他方のローラを通って延びるように配置される。したがって、ローラは互いにほぼ中心が合わせられ、したがって、ウェブがそれぞれのローラ上に安定した方法で案内されることを可能にする。好ましくは、上で定義された平面は他のローラの回転軸を通って延び、したがって、互いに対してローラの正確な中心合わせを提供することができる。類似の関係が第３および第４ローラ間に提供されてもよい。
【００１２】
第２および第３ローラは、１つのローラの回転軸に直角に伸びるとともに前記ローラのウェブ案内面をそれぞれ２等分する平面が他のローラのそれぞれの平面と略同一平面になるように配置されてもよい。したがって、第２および第３ローラも、その周りのウェブの案内を向上させるために、互いにほぼ中心が合わせられる。第２および第３ローラは横移動方向にのみ離間されてもよく、すなわち、ウェブが第２および第３ローラの間に延びる間に、ウェブは実質的に横移動方向にのみ移動される。あるいは、第２および第３ローラは、横移動方向および第２の方向の両方向に離間されてもよい。
【００１３】
１つの実施形態によれば、第１および第４ローラは略水平に配置されるとともに第２および第３ローラは略垂直に配置され、ウェブがはじめに水平に案内され、そして後に回転させられおよび／または横方向に移動させられて案内されることを可能にし、印刷目的に対して一般的に有利である。好ましくは、第２および第３ローラはクラウンローラ、すなわち、ローラが進行方向の横方向に関して湾曲した形状を有し、特に、ウェブ案内面方向を２等分する面上に配置される中心を有して円形に湾曲した形状である。このようなクラウンローラは、ウェブに対してセルフセンタリング機能を提供し、そうでなければ下に動く傾向があるかもしれないローラが垂直に配置された際に特に有利である。
【００１４】
この装置は、第１または第４ローラ上のウェブの位置を検出するためのウェブ位置センサを有してもよい。第２および第３ローラの少なくとも一つを、第１または第４ローラの回転軸の方向に、ウェブ位置センサの出力に応答して移動させる装置が設けられてもよい。このような装置は、この装置内で統合されたウェブのガイドとして用いることができる。
【００１５】
他の態様によれば、ウェブに印刷するための印刷機が提供されてもよい。印刷機は、印刷機を通るウェブを案内するための複数のローラを有してもよく、前記複数のローラは前記ウェブに対する片面経路（ｓｉｍｐｌｅｘ  ｐａｔｈ）および両面経路（ｄｕｐｌｅｘ  ｐａｔｈ）を規定するように配置され、前記両面経路は、前記片面経路に対して隣接するとともに横方向に移動して配置される。少なくとも１つの印刷装置が、前記片面経路および前記両面経路に沿って動かされる間に前記ウェブに画像を印刷するために配置される。印刷機はまた、上述のウェブを回転させるおよび／または横方向に移動させる装置も有し、前記装置はウェブを片面経路から両面経路へ移すようにされる。
【００１６】
このような印刷装置は、片面経路と両面経路との間で回転されて横方向に移動される場合に、連続ウェブの両面に印刷することを可能にする、もしくは片面経路と両面経路との間横方に移動されるのみで回転されない場合に、ウェブの同じ面に２回印刷することを可能にする。
【００１７】
少なくとも１つの印刷装置は少なくとも１つのインクジェット印刷ヘッドを有してもよく、このインクジェット印刷ヘッドは片面経路でも両面経路でもウェブに印刷することができる。少なくとも１つの印刷装置はまた、前記片面経路および前記両面経路で前記ウェブに印刷するための独立したインクジェット印刷ヘッドを有してもよい。多色印刷を提供するために、好ましくは少なくとも４つの印刷装置が設けられる。
【００１８】
本発明の他の態様によれば、印刷機においてウェブを回転させるおよび／または横方向に移動させる方法が提供される。この方法は、ウェブを第１ローラの周りに案内するステップと、ウェブを第２ローラの周りに案内するステップであって、前記第２ローラは前記第１ローラに対して約９０度回転され、第１および第２ローラ間に延びるウェブのストランドが約９０度の第１のねじりを行うステップと、第２および第３ローラ間に延びるウェブのストランドが直線状になるように、ウェブを第１ローラとほぼ平行に配置される第３ローラの周りに案内するステップと、ウェブを第４ローラの周りに案内するステップであって、第４ローラが第３ローラに対して約９０度回転され、第３および第４ローラ間に延びるウェブのストランドが約９０度の第２のねじりを行うステップと、を有する。
【００１９】
このような方法は、印刷機においてウェブの回転および横方向の移動の両方を提供することができ、同時に前記ウェブの良好な案内を可能にする。好ましくは、第１のねじりは、第１ローラに接触するウェブの面が第２ローラにも接触し、それによりウェブの第１の面上の画像が長期間ローラとの接触を避けることができるように、構成される。第１のねじりおよび第２のねじりは、ウェブがローラの周りを案内される間に１８０度のねじりを行うように、すなわち、ウェブが反転またはひっくり返されるように、同じ方向に方向付けられてもよい。あるいは、第１および第２のねじりは、ウェブがねじりを行わない、すなわち最初の向きを保つように、反対方向に方向付けられてもよい。これは、例えば、ウェブの同じ面が２回印刷される場合に、有利である。この場合、本方法はウェブの横方向の移動のみを提供する。
【００２０】
本発明の前述のおよび他の目的、ならびに特徴および利点は、添付の図面に示されているように、本発明の実施形態についての以下のより詳細な説明から明らかになるであろう。図面の要素は互いに対して必ずしも縮尺通りではない。
【図面の簡単な説明】
【００２１】
【図１】図１は、図３のＩ−Ｉ線に沿ったウェブ印刷装置の概略側面図である。
【図２】図２は、図３のＩＩ−ＩＩ線に沿った概略側面図である。
【図３】図３は、図１のＩＩＩ−ＩＩＩ線に沿った、印刷機内のウェブに対して回転させるおよび／または横方向に移動させる装置の概略上面図である。
【図４】図４は、代替実施形態による、印刷機内のウェブを回転させるおよび／または横方向に移動させるための装置の図３に類似する概略上面図である。
【図５】図５は、図３の印刷装置の上面図である。
【図６】図６は、印刷機内のウェブを回転および／または横方向に移動させるための代替の装置の図３に類似する概略上面図である。
【図７】図７は、印刷機内のウェブを回転および／または横方向に移動させるための装置に使用されるローラの概略側面図である。
【発明を実施するための形態】
【００２２】
以下の説明において、左、右、上、下、などの相対的な語が使用されることがある。これらの語は説明のためのみ用いられるとともに図面内に示される実施形態に関連する。これらの相対的な語は本出願を限定するように解釈されるものではない。
【００２３】
図１から図３および図５は、印刷機１の第１実施形態を示す。印刷機１は、ウェブ送り部３、ウェブ受け入れ部４、およびウェブ送り部３とウェブ受け入れ部４との間に配置された印刷部５を有する。
【００２４】
ウェブ送り部はフレーム７を有し、その中にウェブ９用のローラ８が収容される。ローラ８はフレーム７内に回転可能に支持されるので、ウェブ９は既知の方法でローラ８からほどかれることが可能になる。
【００２５】
図２に最もよく示されるウェブ受け入れ部は、印刷部５を通って案内された後のウェブ９を受け入れるためのローラ１２を回転可能に支持するフレーム１１を有する。ウェブ送り部３およびウェブ受け入れ部４は大変簡略化された方法で示されており、それぞれの部に、当技術分野で知られているように、ウェブの案内および／またはウェブへの張力機構を提供するための複数のローラが設けられてもよい。
【００２６】
印刷部５は、複数の印刷エンジン１６を支持するフレーム１４と、複数の乾燥機１８と、印刷エンジン１６に沿ってウェブ９を案内するための複数のローラ２０と、印刷機１内でウェブ９を回転させるおよび／または横方向に移動させるためのローラ装置２２とを有する。
【００２７】
図５に示すように、印刷エンジン１６の２つの列が互いに隣接して設けられる。印刷エンジン１６の第１の列は印刷エンジン１６ａ乃至１６ｄからなり、印刷エンジン１６の第２の列は印刷エンジン１６ｅ乃至１６ｈからなる。印刷エンジン１６ａ乃至１６ｄは、印刷機１を通るウェブ９の第１の経路をカバーするように配置される。印刷エンジン１６ａ乃至１６ｄの下に延びるウェブのこの経路は以下において片面経路と呼ばれる。印刷エンジン１６ｅ乃至１６ｈは、印刷機１を通るウェブ９の第２の経路をカバーするように配置される。この第２の経路は以下において両面経路と呼ばれる。
【００２８】
印刷エンジン１６は例えばインクジェットタイプである。片面経路をカバーする印刷エンジン１６ａ乃至１６ｄは、例えば多色印刷のためのシアン、マゼンタ、イエロー、カーボン（黒）など、異なる色を用いることができる。同様に、両面経路をカバーする印刷エンジン１６ｅ乃至１６ｈは、ウェブ９の両面に多色印刷が求められる場合に、印刷エンジン１６ａ乃至１６ｄと同じ色を用いることができる。あるいは、印刷エンジン１６ｅ乃至１６ｈは、例えば以下でより詳細に説明するように、ウェブの同じ面または裏面に追加の色が印刷される場合に、異なる色を用いることができる。
【００２９】
片面経路および両面経路内の隣接する印刷エンジン１６ａおよび１６ｅが独立した印刷エンジンとして示されているが、それらは片面経路および両面経路の両方をカバーする単一の印刷エンジンとして形成されてもよい。
【００３０】
片面経路内の印刷エンジン１６ａ乃至１６ｄと両面経路内の印刷エンジン１６ｅ乃至１６ｈとの間には、乾燥機１８が設けられ、この乾燥機１８は片面経路と両面経路の両方をカバーする。乾燥機１８は、ウェブ９上のインクを乾燥させるための任意の適切なタイプの乾燥機によって形成されることができる。乾燥機１８は、工程内の乾燥機、すなわち、印刷エンジン１６の間に配置される乾燥機として示されているが、片面経路の端部および両面経路の端部に単一の乾燥機が設けられてもよい。
【００３１】
例えば、印刷エンジン１６が電子写真タイプである場合、乾燥機１８はそれぞれ定着装置に置き換えることができ、この定着装置は一般的に片面経路の端部および両面経路の端部に設けられる。
【００３２】
上述のように、ローラ２０は印刷エンジン１６の近傍にウェブ９を案内するために設けられる。
【００３３】
これらのローラ２０に加えて、ウェブ９を回転させるおよび／または横方向に移動させるためのローラ装置２２が設けられる。ローラ装置２２は、ウェブ９を片面経路から両面経路に案内するように構成されるので、ウェブ９の横方向の移動を提供する。
【００３４】
ローラ装置２２は、第１ローラ２６と、第２ローラ２７と、第３ローラ２８と、第４ローラ２９とを有する。さらにローラ３１が、ウェブ９が第１ローラ２６に向かって案内される（図１参照）ことが可能になるように、両面経路の端部に配置される。同様に、ローラ３２が、ウェブ９が第４ローラから両面経路に向かって案内されることが可能になるように、両面経路の先頭に設けられる。
【００３５】
第１および第２ローラ２６、２７は両面経路の下に配置されるとともに第３および第４ローラ２８、２９は両面経路の下に配置される。
【００３６】
第１ローラ２６は、各ローラ２０、３１、３２および第４ローラ２９の回転軸と略平行な回転軸を有する。
【００３７】
第２および第３ローラ２７、２８はそれぞれ他のローラ、特に第１および第４ローラ２６、２９の回転軸と略直角な回転軸を有する。第１および第２ローラ２６、２７は、ローラ２６、２７の一方の回転軸と直角に延びるとともにそれぞれのウェブ案内面を２等分する平面（図１および図３に３５で示される）が他方のローラ２６、２７を通って、特に他方のローラ２６、２７の回転軸を通って延びるように配置される。したがって、それぞれのローラは互いに対して中心が合わせられるが互いに９０度回転する。第３および第４ローラ２８、２９は、図３および図２に３６で示されるように、同様に配置される。したがって、第３および第４ローラ２８、２９も互いに対して中心が合わせられるが互いに９０度回転する。
【００３８】
第１および第２ローラは、これらのローラの間を延びるストランドにおいてウェブが９０度のねじりを行うことが可能となる距離間隔をあけられる。同様に、第３および第４ローラ２８、２９も、これらのローラの間を延びるストランドにおいてウェブが９０度のねじりを行うことが可能となる距離間隔をあけられる。９０度のねじりは、ローラが互いに対して９０度回転するという事実によりもたらされる。上述のように、ローラが互いに対して中心を合わせられるという事実により、ウェブがローラ２６および２７に案内される間に、ウェブに横力が作用することがない。ローラが中心を合わせられていない場合、ウェブに横力が作用し、この横力は、ウェブに損傷を与えるかもしれない、あるいはウェブがそれぞれのローラ２６、２７から外れて横向きに移動するという事実をもたらすかもしれない。第３および第４ローラ２８、２９についても同じことが当てはまる。第２および第３ローラ２７、２８は、ウェブ９を片面経路から両面経路へ移すために、ウェブ９の横方向の移動を提供するよう、横方向に間隔をあけられる。第２および第３ローラ２７、２８のそれぞれの回転軸が略平行であるという事実により、ウェブ９は２つのローラ２７、２８の間を直線状に伸びる。
【００３９】
第１および第２ローラ２６、２７間のウェブ９の９０度のねじりは、第３および第４ローラ２８、２９間の９０度のねじりと同じ方向であってもよい。この場合、ウェブは横方向に移動されるだけでなく上下逆にもされるまたは反転もされる。これはウェブの両面印刷を可能にする。
【００４０】
しかし、第１および第２ローラ２６、２７間の第１の９０度のねじりは、第３および第４ローラ２８、２９間の第２の９０度のねじりと異なる方向であってもよい。この場合、ウェブは上下逆にはされず、横方向に移動させられるだけである。これは、ウェブが両面経路にある間に、ウェブの同じ面に追加的な印刷を可能にする。この場合、印刷エンジン１６ｅ乃至１６ｈに追加的な色が与えられてもよい。このような追加的な色は例えば、金、銀、または印刷エンジン１６ａ乃至１６ｄで使用される色により達成することができない他の特別な色であってもよい。
【００４１】
図６はローラ装置２２の代替実施形態を示し、同じ参照符号がこれまでの説明中と同様に使用される。このローラ装置２２も第１ローラ２６、第２ローラ２７、第３ローラ２８、および第４ローラ２９から成る。ローラは上述のものと同じように配置される。
【００４２】
しかし、第２ローラが、ブラケット４０の一方の端部に取り付けられ、このブラケット４０は他方の端部において旋回可能に取り付けられる。ガイドモータ４２が設けられ、両矢印で示されるように、ブラケットを旋回可能な端部の周りに動かすことを可能にする。こうすることにより、第２ローラ２７は第１ローラ２６に対して横方向に動かされる。当業者は、この運動が第１ローラに向かうおよび離れる方に向かう成分を有するが、この成分は重要性がより少ないということを認識するであろう。第２ローラ２７の横方向の運動は、ウェブ９を第１ローラ２６上に適切に案内するためのウェブガイドとして使うことができる。この目的を達成するために、例えばエッジセンサなどの位置センサ４４が第１ローラ２６の近傍に設けられてもよい。エッジセンサは、ウェブ９の端部そしてそれにより第１ローラ２６上のウェブ９の位置を検出することができる。ガイドモータ４２は、ウェブ９を第１ローラ２６上に適切に位置決めするために、エッジセンサの出力信号に応答して動かされることができる。
【００４３】
同様の装置が第３ローラ２８に対して設けられてもよく、エッジセンサが第４ローラ２９の近傍に設けられてもよい。図４はウェブ９を回転させるおよび／または横方向に移動させるための代替のローラ装置２２を示す。
【００４４】
図４でも同じ参照符号がこれまでの説明中と同様に使用される。このローラ装置２２も第１ローラ２６、第２ローラ２７、第３ローラ２８、および第４ローラ２９を有する。第１および第４ローラ２６、２９の回転軸は互いに略並行である。同様に、第２および第３ローラ２７、２８の回転軸は互いに略並行であるとともに第１および第４ローラ２６、２９の回転軸に対して９０度回転する。第１および第２ローラ２６、２７も互いに対して中心が合わせられるとともにこれらの間を延びるストランドにおいてウェブ９が９０度のねじりを行うことが可能となるよう十分間隔をあけられる。
【００４５】
同様に、第３および第４ローラ２８、２９も上述のように互いに対して中心が合わせられるとともにこれらの間を延びるストランドにおいてウェブが９０度のねじりを行うことが可能となるよう十分間隔をあけられる。
【００４６】
図４の配置は、第２および第３ローラ２７、２８が横方向に移動させる方向において互いに隣接するために、前述の配置と異なる。同様に、第１および第４ローラ２６、２９は横方向に移動させる方向において互いに隣接する。この配置が用いられる場合、印刷機の片面経路および両面経路は反対方向に延びることができるので、ウェブ送り部およびウェブ受け入れ部を印刷機１の同じ側に配置することが可能となる。
【００４７】
図７は、第２および第３ローラ２７、２８の特定の実施形態の側面図を示す。示されるように、上述の実施形態では、第２および第３ローラ２７、２８は垂直に配置されしたがってウェブは重力により下に動く傾向を有し得る。しかし、ローラ２７、２８は、この実施形態において、クラウンローラ、すなわち、進行方向の横方向に関して湾曲した形状を有するローラとして形成される。特に、横方向においてウェブ案内面方向を２等分する面上に位置する中心を有して円形に湾曲した形状が与えられる。このようなクラウンローラは、印刷またはウェッビング動作中にウェブがその周りを動く間に、ウェブに対してセルフセンタリング機能を提供する。
【００４８】
次に、ウェブ上に印刷する方法が図面を参照して記載される。
【００４９】
最初に、ウェブが印刷機に導入されなければならず、ウェブは片面経路をカバーする印刷エンジンに沿って延びるように一般的に手作業で案内される。そして、ウェブはローラ３１の周りをローラ２６へ延びるように案内される。次に、ウェブはローラ２６の周りを案内されるとともにローラ２７へ案内される。ウェブ９は、第１ローラ２６および第２ローラ２７間に延びるストランドにおいて９０度のねじりを行うように案内される。ウェブ９は、その上面、すなわち、片面経路において上面となる面が第２ローラ２７と接触しないように案内され得る。次に、ウェブ９は、第３ローラ２８に向かって案内されて第３ローラ２８の周りを案内される。第３ローラ２８からウェブ９は第４ローラ２９に案内され、再び９０度のねじりがウェブ９に導入される。この９０度のねじりは、上述の最初のねじりと同じまたは反対の方向であってよい。ローラ２９からウェブ９はローラ３２に向かって案内され、両面経路を通ってウェブ受け入れ部に向かって案内される。いったんウェブが、ウェブ印刷機１を通って案内されてウェブ送り部とウェブ受け入れ部との間に延びるこのような方法で案内されると、ウェブへの印刷は既知の方法で開始することができる。
【００５０】
本発明は、これらの特定の実施形態に限定されることなしに特定の実施形態に関して記載されている。
【図１】
2012519120.tif 000003
【図２】
2012519120.tif 000004
【図３】
2012519120.tif 000005
【図４】
2012519120.tif 000006
【図５】
2012519120.tif 000007
【図６】
2012519120.tif 000008
【図７】
2012519120.tif 000009
【手続補正書】
【提出日】平成24年3月23日(2012.3.23)
【手続補正１】
【補正対象書類名】特許請求の範囲
【補正対象項目名】全文
【補正方法】変更
【補正の内容】
【特許請求の範囲】
【請求項１】
印刷機内でウェブを１８０度回転させる装置であって：
−前記ウェブを案内する第１ローラであって、第１の回転軸を有する第１ローラと；
−前記ウェブを案内する第２ローラであって、第２の回転軸を有する第２ローラと；
−前記ウェブを案内する第３ローラであって、第３の回転軸を有する第３ローラと；
−前記ウェブを案内する第４ローラであって、第４の回転軸を有する第４ローラと、を有し；
前記第１乃至前記第４ローラは、上述の順に前記ローラの周りに前記ウェブを案内することを可能にするよう配置され、前記第１および前記第２ローラは、これらのローラの間に延びるストランドにおいて前記ウェブが９０度のねじりを行うことを可能にする距離だけ間隔をあけられ、前記第３および前記第４ローラは、これらのローラの間に延びるストランドにおいて前記ウェブが９０度のねじりを行うことを可能にする距離だけ間隔をあけられ、
前記第１および前記第４の回転軸は互いに略平行であり、前記第２および前記第３の回転軸は互いに略平行であり、
前記第１および前記第４の回転軸は前記第２および前記第３の回転軸に対して略直角である、
装置。
【請求項２】
ウェブに印刷するための印刷機であって：
前記印刷機を通る前記ウェブを案内するための複数のローラであって、前記複数のローラが前記ウェブに対する片面経路および両面経路を規定するように配置され、前記両面経路は前記片面経路に対して隣接するとともに横方向に移動して配置される、複数のローラと；
前記片面経路および前記両面経路に沿って前記ウェブが動かされる間に前記ウェブに画像を印刷するために配置される少なくとも１つの印刷装置と；
前記ウェブを前記片面経路から前記両面経路へ移すようにされた、前記ウェブを回転させるおよび／または横方向に移動させる装置と；を有する、
印刷機。
【請求項３】
印刷機においてウェブを回転させるおよび／または横方向に移動させる方法であって、
−前記ウェブを第１ローラの周りに案内するステップと；
−前記ウェブを第２ローラの周りに案内するステップであって、前記第２ローラは前記第１ローラに対して約９０度回転され、前記第１および前記第２ローラ間に延びる前記ウェブのストランドが約９０度の第１のねじりを行う、ステップと；
−前記ウェブを前記第１ローラとほぼ平行に配置される第３ローラの周りに案内するステップであって、前記第２および前記第３ローラ間に延びる前記ウェブのストランドが直線状になる、ステップと；
−前記ウェブを第４ローラの周りに案内するステップであって、前記第４ローラが前記第３ローラに対して約９０度回転され、前記第３および前記第４ローラ間に延びる前記ウェブのストランドが約９０度の第２のねじりを行う、ステップと；を有する、
方法。
【手続補正２】
【補正対象書類名】明細書
【補正対象項目名】００１３
【補正方法】変更
【補正の内容】
【００１３】
１つの実施形態によれば、第１および第４ローラは略水平に配置されるとともに第２および第３ローラは略垂直に配置され、ウェブがはじめに水平に案内され、そして後に回転させられおよび／または横方向に移動させられて案内されることを可能にし、印刷目的に対して一般的に有利である。好ましくは、第２および第３ローラはクラウンローラ、すなわち、ローラが進行方向の横方向に関して湾曲した形状を有し、特に、ウェブ案内面方向を２等分する面上に配置される中心を有して円形に湾曲した形状である。このようなクラウンローラは、ウェブに対してセルフセンタリング機能を提供し、ローラが垂直に配置された際に特に有利である。
【国際調査報告】
2012519120.tif 000010
2012519120.tif 000011
2012519120.tif 000012